(57)【特許請求の範囲】
【請求項１】
キャッシュコーナーの営業時間をもとに設定された、キャッシュコーナー出入口の閉鎖部材の閉鎖動作をプログラム制御する予定時刻を記憶しているスケジュール記憶手段と、
キャッシュコーナー出入口に設けられ開閉が制御される閉鎖部材とを含んで構成されているキャッシュコーナーの閉込め防止システムにおいて、
キャッシュコーナーに設置された現金自動支払機あるいは現金自動預け払機の近傍に配設した通話用のインターホン子器と、
該インターホン子器が少なくとも１台接続され、接続された当該インターホン子器が操作され呼び出しが行なわれると、インターホン子器とで通話装置を構成するインターホン親器を自動発信により呼び出し、インターホン親器が応答すると呼び出しを行なった当該インターホン子器とインターホン親器の電話回線を接続して通話可能とする通話制御手段と、
該通話制御手段とインターホン親器に電話回線を介して接続され、端子電圧をもとに前記インターホン子器とインターホン親器とが通話中であるか否かを検出し、印加されている電圧値を自動閉店制御手段に出力する話中検出手段と、
スケジュール記憶手段に記憶された予定時刻にはキャッシュコーナー出入口に設けた閉鎖部材の閉鎖動作を制御して自動閉店制御を行ない、スケジュール記憶手段に記憶された閉店時刻の際に前記話中検出手段に印加され測定される測定電圧値Ｘ（Ｖ）と予め設定された基準電圧値Ｙ（Ｖ）との大小を比較することによりキャッシュコーナー内に残留者がいるか否かを判断し、Ｘ（Ｖ）＜Ｙ（Ｖ）の場合にはキャッシュコーナー内に通話中の残留者がいると判断して前記話中検出手段が通話中であることを検出している間は閉鎖部材による閉鎖動作を停止あるいは閉鎖部材の開放を行ない、Ｘ（Ｖ）＞Ｙ（Ｖ）の場合にはキャッシュコーナー内に利用者がいないと判断して閉鎖部材による閉鎖を行なう自動閉店制御手段とからなるキャッシュコーナーの閉込め防止システム。
【請求項２】
キャッシュコーナーに設けられ、キャッシュコーナー内に残留者がいるか否かを検出する残留者検出手段を更に備え、
前記自動閉店制御手段は、
前記スケジュール記憶手段に記憶された予定時刻にはキャッシュコーナー出入口に設けた閉鎖部材の閉鎖動作を制御して自動閉店制御を行ない、前記スケジュール記憶手段に記憶された閉店時刻の際に前記話中検出手段に印加され測定される測定電圧値Ｘ（Ｖ）と予め設定された基準電圧値Ｙ（Ｖ）との大小を比較することによりキャッシュコーナー内に残留者がいるか否かを判断するとともに、前記残留者検出手段による検出結果をもとにキャッシュコーナー内に残留者がいるか否かを判断し、キャッシュコーナー内に残留者がいると判断した場合は、前記話中検出手段が通話中であることを検出している間、および／または、前記残留者検出手段がキャッシュコーナー内の残留者を検出している間は閉鎖部材による閉鎖動作を停止あるいは閉鎖部材の開放を行う請求項１に記載のキャッシュコーナーの閉込め防止システム。
【発明の詳細な説明】
【０００１】
【発明の属する技術分野】
本発明は、自動閉店制御を実施している銀行等の金融機関のキャッシュコーナーにおいて、閉店時に残留者（利用者）がキャッシュコーナー内に閉込められるのを防止する、キャッシュコーナーの閉込め防止システムの改良に関するものである。
【０００２】
【従来の技術】
（発明の背景）
銀行等の金融機関の店舗（有人店舗及び無人店舗）に設けられたキャッシュコーナーでは、シャッタ、照明灯等の閉店制御は予め決められたタイムスケジュールに基づいて行われ、その際、キャッシュコーナー内に利用者を閉込めてしまわないように、キャッシュコーナー内に利用者がいるか否かを確認してから閉店制御を行っている。
【０００３】
（従来技術）
キャッシュコーナー内に利用者がいるか否かを確認する手段としては、人体から発する赤外線を検出して人の存在を検出する赤外線検出センサが一般に知られているが、赤外線検出センサは赤外線受光量の変動をもとに人の存在を検出するセンサであるため、静止している人の検出が困難となる場合がある。したがって、例えば、閉店間際にキャッシュコーナーの現金自動支払機（ＣＤ）、現金自動預け払機（ＡＴＭ）等を利用していた利用者が操作に手間取る場合、あるいは機械のトラブル等が発生してＣＤ・ＡＴＭの近傍に備え付けらたインターホンにより対応員と通話している場合等は、利用者はほとんど身動きしない状態となるため赤外線検出センサに検出されず、キャッシュコーナー内に利用者がいるにもかかわらずシャッタ、自動ドア、出入口扉の電気錠等の閉鎖部材による閉店動作が行なわれてしまい利用者を閉込めてしまう場合があった。
【０００４】
そこで、上記の不都合を回避するために、赤外線検出センサによる残留者（利用者）の検出に加え、ＣＤ・ＡＴＭの近傍に設置されたインターホン子器の受話器を利用者が取り上げた際に出力されるフックアップ信号を捕捉し、フックアップ信号が捕捉されていることをもってキャッシュコーナー内に利用者が残留していると判断するシステムが提案されている。
【０００５】
【発明が解決しようとする課題】
この従来の技術システムにあっては、通話中の利用者がキャッシュコーナー内に閉じ込められしまうことはないが、インターホン子器の受話器が外れた状態で放置されると（利用者がインターホンを使い通話を終えた後に受話器を定位置に戻し忘れたり受話器を正しくかけ直さない場合；人や物が受話器に接触したはずみで受話器が定位置から外れてしまう場合等）、キャッシュコーナー内が無人であっても残留者がいると判断されて閉店動作が行われずに防犯管理上好ましくない事態を招来するため、このような事態が起きたときには、特に無人店舗の場合には、キャッシュコーナーの閉店制御を行なうためわざわざ現場まで対応員を派遣して受話器を正しい位置に戻す必要があった。
【０００６】
このため、この種の閉込め防止システムにあっては、対応員の派遣に伴うシステム稼働費用の高騰化の一因となるばかりか、システムを実際に管理・運営する側にとっては作業効率の低下と管理・運用上の不都合を招くという問題点があった。
【０００７】
本発明は上記課題を解決するためになされたものであり、本発明の目的は、閉店時刻に話中検出手段に印加され測定される測定電圧値と予め設定された基準電圧値とを比較し、その大小によりインターホンが真に通話中であるか否かを検出してキャッシュコーナー内に残留者がいるか否かを判断し残留者の検出を極めて正確に行うことができるとともに、キャッシュコーナー内が無人になると確実に閉店動作が行なわれ防犯上好都合なキャッシュコーナーの閉込め防止システムを提供することにある。
【０００８】
本発明の他の目的は、インターホンの受話器が外れた状態で放置されるような場合でも対応員を派遣する必要がなく、派遣を行なうことによるコストの増加や作業効率の低下を招くこともなく管理・運用上の負担を軽減できるキャッシュコーナーの閉込め防止システムを提供することにある。
【０００９】
本発明のもう一つ他の目的は、話中検出手段と残留者検出手段による二重の検出により、キャッシュコーナー内にいる残留者を精度よくいっそう確実に検出でき、残留者を検出した場合はシャッタ、自動ドア、出入口扉の電気錠等の閉鎖部材による閉鎖動作を停止あるいは閉鎖部材を開放するため、残留者の閉じ込め事故を回避できるとともに、インターホンによる通話を終えた利用者はキャッシュコーナーから円滑に退出できるキャッシュコーナーの閉込め防止システムを提供することにある。
【００１０】
【課題を解決するための手段】
本願に係るキャッシュコーナーの閉込め防止システムは、キャッシュコーナーの営業時間をもとに設定された、キャッシュコーナー出入口の閉鎖部材の閉鎖動作をプログラム制御する予定時刻を記憶しているスケジュール記憶手段と、キャッシュコーナー出入口に設けられ開閉が制御される閉鎖部材とを含んで構成されているキャッシュコーナーの閉込め防止システムにおいて、
キャッシュコーナーに設置された現金自動支払機あるいは現金自動預け払機の近傍に配設した通話用のインターホン子器と、
該インターホン子器が少なくとも１台接続され、接続された当該インターホン子器が操作され呼び出しが行なわれると、インターホン子器とで通話装置を構成するインターホン親器を自動発信により呼び出し、インターホン親器が応答すると呼び出しを行なった当該インターホン子器とインターホン親器の電話回線を接続して通話可能とする通話制御手段と、
該通話制御手段とインターホン親器に電話回線を介して接続され、端子電圧をもとに前記インターホン子器とインターホン親器とが通話中であるか否かを検出し、印加されている電圧値を自動閉店制御手段に出力する話中検出手段と、
スケジュール記憶手段に記憶された予定時刻にはキャッシュコーナー出入口に設けた閉鎖部材の閉鎖動作を制御して自動閉店制御を行ない、スケジュール記憶手段に記憶された閉店時刻の際に前記話中検出手段に印加され測定される測定電圧値Ｘ（Ｖ）と予め設定された基準電圧値Ｙ（Ｖ）との大小を比較することによりキャッシュコーナー内に残留者がいるか否かを判断し、Ｘ（Ｖ）＜Ｙ（Ｖ）の場合にはキャッシュコーナー内に通話中の残留者がいると判断して前記話中検出手段が通話中であることを検出している間は閉鎖部材による閉鎖動作を停止あるいは閉鎖部材の開放を行ない、Ｘ（Ｖ）＞Ｙ（Ｖ）の場合にはキャッシュコーナー内に利用者がいないと判断して閉鎖部材による閉鎖を行なう自動閉店制御手段とからなる。
【００１１】
また、キャッシュコーナーの閉込め防止システムは、キャッシュコーナーに設けられ、キャッシュコーナー内に残留者がいるか否かを検出する残留者検出手段を更に備え、  前記自動閉店制御手段は、  前記スケジュール記憶手段に記憶された予定時刻にはキャッシュコーナー出入口に設けた閉鎖部材の閉鎖動作を制御して自動閉店制御を行ない、前記スケジュール記憶手段に記憶された閉店時刻の際に前記話中検出手段に印加され測定される測定電圧値Ｘ（Ｖ）と予め設定された基準電圧値Ｙ（Ｖ）との大小を比較することによりキャッシュコーナー内に残留者がいるか否かを判断するとともに、前記残留者検出手段による検出結果をもとにキャッシュコーナー内に残留者がいるか否かを判断し、キャッシュコーナー内に残留者がいると判断した場合は、前記話中検出手段が通話中であることを検出している間、および／または、前記残留者検出手段がキャッシュコーナー内の残留者を検出している間は閉鎖部材による閉鎖動作を停止あるいは閉鎖部材の開放を行うようにすることもできる。
【００１２】
【発明の実施の形態】
本発明のキャッシュコーナーの閉込め防止システムは、有人店舗に併設されたキャッシュコーナーの場合、有人店舗内に対応員がいる時間帯はインターホン子器の受話器を取上げると最初に有人店舗内に設けられたインターホン親器を呼出すように設定する。また、呼出す相手を有人店舗のインターホン親器とするか、無人店舗の場合のように、遠隔の予め設定したインターホン親器（通話相手）とするかの切換えは手動または自動にて行う。
キャッシュコーナー内に残留者ありの状態が所定時間以上経過した場合には、正常に閉店が行なわれなかったことを示す報知信号を予め定められた報知先に出力するようにすることが好ましい。
また、所定時間経過した時点でキャッシュコーナー出入口の閉鎖部材（シャッタ、自動ドア、出入口扉の電気錠のうち少なくとも１を含んで構成される）が閉鎖されていない場合には正常な閉店が行なわれなかったことを示す報知信号を出力するようにすることが好ましい。
【００１３】
【実施例】
次に、本発明に係る閉込め防止システムについて具体的に説明する。
なお、この説明では、閉鎖部材としてシャッタを用いた場合について説明する。
（実施例１）
まず、図１及び図２に示した第１の実施例について述べる。
第１の実施例においては、話中検出手段により通話中であることが検出されてシャッタの閉鎖が行なわれない場合、閉鎖動作開始後に通話中であることが検出されてシャッタの閉鎖を停止あるいはシャッタを開放した場合に、通話中であることが検出されなくなりシャッタ閉鎖を再開する際は、残留者がキャッシュコーナーから退出するまでの時間を考慮して、通話中であることが検出されなくなってから所定時間経過後にシャッタの閉鎖を開始する。
【００１４】
図１は本発明を適用したキャッシュコーナーの一例を示す概略図、図２は本発明に係るキャッシュコーナーの閉込め防止システムの構成を示すブロック図である。
これらの図において、閉込め防止システム１は、キャッシュコーナー２に設置されたＣＤ・ＡＴＭ５の近傍に配設し、トラブル発生時や問合わせを行なう際に利用者が対応員と通話を行なうために用いる通話用のインターホン子器１０と、通話制御手段２０と、話中検出手段３０と、前記インターホン子器１０とで通話装置を構成するインターホン親器４０と、自動閉店制御手段５０と、スケジュール記憶手段６０と、シャッタ制御手段７０とを備えている。
前記インターホン子器１０は通話ボタン（図示せず）を備え、利用者が受話器を取上げ通話ボタンを操作することにより電話回線を介して通話相手を呼出すことができる。
【００１５】
このうち前記通話制御手段２０は、前記インターホン子器１０（１０ａ，１０１０ｂ，・・・・１０ｎ）が少なくとも１台接続され、接続された前記インターホン子器１０の通話ボタンが操作され呼び出しが行なわれると、予め設定された前記インターホン親器（通話先）４０を自動発信により呼び出し、前記インターホン親器４０が応答すると呼び出しを行なった前記インターホン子器１０と前記インターホン親器４０の電話回線を接続して通話可能となる。
【００１６】
前記話中検出手段３０は、前記通話制御手段２０とインターホン親器４０に電話回線を介して接続され、電話回線と接続される端子電圧を測定し前記インターホン子器１０とインターホン親器４０とが通話中であるか否かを検出し、印加されている電圧値を前記自動閉店制御手段５０に出力する。
【００１７】
前記自動閉店制御手段５０は、前記スケジュール記憶手段６０に記憶された予定時刻には前記シャッタ制御手段７０、照明制御手段９０、空調制御手段１００、案内表示手段１１０の各制御手段を制御し自動閉店動作を行なうとともに、前記スケジュール記憶手段６０に記憶された閉店時刻の際に前記話中検出手段３０に印加され測定される測定電圧値と予め設定された基準電圧値との大小を比較することによりキャッシュコーナー２内に残留者がいるか否かを判断し、測定電圧が基準電圧より小さい場合にはキャッシュコーナー２内に残留者がいると判断して前記話中検出手段３０が通話中であることを検出している間はシャッタ７１の閉鎖動作を停止あるいはシャッタ７１の開放を行う。また、測定電圧が基準電圧より大きい場合にはキャッシュコーナー２内に利用者がいないと判断してシャッタ７１の閉鎖動作による閉鎖を行う。
【００１８】
一般に、電話回線は通話中と非通話中では異なる電圧値をとる。即ち、電話回線より検出される電圧を測定電圧Ｘ（Ｖ）とすると、待機中ではＸ1 ＝４８Ｖ程度，フックアップ時（呼出し時）ではＸ2 ＝５Ｖ程度，話中時ではＸ3 ＝−５Ｖ程度の電圧が印加電圧として測定される。
【００１９】
しかして、前記話中検出手段３０の端子電圧Ｘ（Ｖ）を検出し、予め設定された基準電圧値Ｙ（Ｖ）〔但し、Ｙ（Ｖ）は、−５Ｖ＜Ｙ（Ｖ）＜５Ｖを満たす任意の電圧値〕との大小を比較し、Ｘ（Ｖ）＜Ｙ（Ｖ）のときに通話中と判断することにより、真に通話が行なわれているか否かを検出する。
【００２０】
前記スケジュール記憶手段６０は、キャッシュコーナー２の営業時間をもとに設定された、キャッシュコーナー２に設けたシャッタ７１や照明灯９１、空調制御手段１００、案内表示手段１１０の各制御手段をプログラム制御する予定時刻を記憶している。
【００２１】
前記シャッタ制御手段７０は、キャッシュコーナー２の入口側に設けたシャッタ７１の開閉を制御する。
【００２２】
前記照明制御手段９０は照明灯９１を制御し、前記空調制御装置１００は店舗内の空調装置を制御し、前記案内表示手段１１０は音声・音楽・文字による掲示板への表示・表示灯による点灯等の少なくとも１つの方法を用いて利用者に閉店時刻等を案内表示する。
【００２３】
ここで、キャッシュコーナー２の概略を説明する。
キャッシュコーナー２は、顧客がＣＤ・ＡＴＭ５を操作して入出金等を行う客室３と、各種制御部（ＣＤ・ＡＴＭ制御部、通話制御手段２０、自動閉店制御部５０、シャッタ制御手段７０、照明制御手段９０、空調制御手段１００等）、電源盤等を配備した機械室４とから構成されている。ＣＤ・ＡＴＭ５は、操作部が客室３側に、そして主要な機械部が機械室４側に位置している。
符号１２１は、侵入者検出用のセンサである。
【００２４】
〔動  作〕
次に、閉込め防止システム１おける閉店制御時の動作を、図３及び図４のフローチャートにしたがって説明する。
【００２５】
今、スケジュール記憶手段６０に記憶された閉店予告時刻になると（Ｓ１）、案内表示手段１１０によりキャッシュコーナー内にいる利用者に対して閉店時刻が間近であることを知らせる閉店予告を行う（Ｓ２）。
【００２６】
スケジュール記憶手段６０に記憶された閉店時刻になると（Ｓ３）、案内表示手段１１０により、キャッシュコーナー２内にいる利用者に対して閉店時刻となったことを知らせる閉店告知を行なう（Ｓ４）。この場合、閉店予告と同様に、音声・音楽・文字による掲示板への表示・表示灯による点灯等の少なくとも１つの方法を用いて閉店時刻の告知を行う。
【００２７】
閉店時刻後にはキャッシュコーナー２の入口に設置した自動ドア６の外側に設けた検知センサ（図示せず）のみを無効にすることにより外部からキャッシュコーナー内に入ろうとする者がいても入室できないようにし、利用者がキャッシュコーナー２内に入らないように入室規制を行ない閉店準備の制御を行なう（Ｓ５）。勿論この場合、自動ドア６の内側に設けた検知センサ（図示せず）は有効でありキャッシュコーナー２内の利用者は退場することができる。
【００２８】
次に、話中検出手段３０の検出結果をもとにキャッシュコーナー内に利用者が居るか否かを判断する（Ｓ６）。判断は、図４記載のフローチャートにしたがって行う。話中検出手段３０の端子電圧Ｘ（Ｖ）を測定し（Ｓ２１）、基準電圧Ｙ（Ｖ）と比較してＸ（Ｖ）＜Ｙ（Ｖ）で話中検出した場合には（Ｓ２３）、残留者ありと判断してＸ（Ｖ）＜Ｙ（Ｖ）の間ステップ６を繰り返し、Ｘ（Ｖ）＞Ｙ（Ｖ）で話中検出しなかった場合には（Ｓ２２）、キャッシュコーナー２内に利用者がいないと判断し、シャッタ７１の閉鎖を開始する。また、スケジュール記憶手段６０に記憶された、キャッシュコーナー２内の照明灯９１を制御する照明制御手段９０や、空調装置を制御する空調制御手段１００等を制御する予定時刻に基づいて照明の消灯、空調の停止等の閉店制御を行なう（Ｓ７）。
【００２９】
閉店制御を開始した後所定時間はキャッシュコーナー２内に利用者が居るか否かを話中検出手段の検出結果をもとに判断する（Ｓ８，Ｓ２１）。ここでは、話中検出手段３０の端子電圧Ｘ（Ｖ）を測定し基準電圧Ｙ（Ｖ）と比較して、Ｘ（Ｖ）＞Ｙ（Ｖ）で利用者なしと判断した場合には（Ｓ２２）、スケジュール記憶手段６０に記憶された予定時刻に基づいたキャッシュコーナー２の閉店制御を継続して行なう（Ｓ９）。また利用者ありと判断したことにより停止した閉店制御があれば、閉店制御を再開する。
【００３０】
Ｘ（Ｖ）＜Ｙ（Ｖ）で利用者ありと判断した場合には（Ｓ２３）、シャッタ７１の閉鎖を停止し、あるいはシャッタ７１の閉鎖動作を停止しても利用者が退出することができない場合（シャッタ７１の閉鎖が開始され利用者の退出を妨げる程シャッタ７１が降下し停止した場合）も考慮して更にシャッタ７１を開放する。
【００３１】
スケジュール記憶手段６０に記憶された閉店予定時刻から所定時間が経過したか否かを判断し（Ｓ１１）、所定時間が経過するまではステップ８乃至ステップ１１の動作を繰り返す。
【００３２】
（実施例２）
次に、図５に示した実施例２について述べる。
この実施例にあっては、
［１］閉込め防止システム１Ａが、インターホン子器１０と、通話制御手段２０と、話中検出手段３０と、インターホン親器４０と、自動閉店制御手段５０Ａと、スケジュール記憶手段６０と、シャッタ制御手段７０を具備している点；
は第１の実施例と同じであるが、話中検出手段と残留者検出手段による二重の検出により、キャッシュコーナー内にいる残留者の検出の精度を上げるために、
［２］キャッシュコーナー内に残留者がいるか否かを検出する、残留者検出センサにより構成した残留者検出手段８０を更に備えている点；
［３］自動閉店制御手段５０Ａは、スケジュール記憶手段６０に記憶された予定時刻にはキャッシュコーナー２に設けたシャッタ７１、照明灯９１等を制御して自動閉店動作を行ない、スケジュール記憶手段６０に記憶された閉店時刻には話中検出手段３０に印加され測定される測定電圧値と予め設定された基準電圧値とを比較との大小を比較することによりキッシュコーナー２内に残留者がいるか否かを判断するとともに、残留者検出手段８０による検出結果をもとにキャッシュコーナー２内に残留者がいるか否かを判断し、キャッシュコーナー２内に残留者がいると判断した場合は、話中検出手段３０が通話中であることを検出している間、および／または、残留者検出手段８０がキャッシュコーナー内の残留者を検出している間はシャッタ閉鎖動作を停止あるいはシャッタの開放を行なう点；
が第１の実施例と異なる。
しかして、実施例２にあっては、実施例１の動作を説明した図３のステップ６及びステップ８における残留者ありか否か判断を、図４に記載のフローチャートによるものではなく、図６に記載のフローチャートによって行ない、残留者有無の検出を話中検出手段３０と残留者検出手段８０による二重の検出により行なう。この場合は話中検出手段３０により話中検出された場合（Ｓ３５，Ｓ３６，Ｓ３７）、残留者検出手段８０により残留者検出された場合（Ｓ３３，Ｓ３４，Ｓ３７）、いずれも残留者ありと判断することになる。
【００３３】
【発明の効果】
本発明は以上の如く構成され、本発明によれば次の効果を奏する。
▲１▼閉店時刻に話中検出手段に印加され測定される測定電圧値と予め設定された基準電圧値とを比較し、その大小によりインターホンが真に通話中であるか否かを検出してキャッシュコーナー内に残留者がいるか否かを判断するため、残留者の検出を極めて正確に行うことができるとともに、キャッシュコーナー内が無人になると確実に閉店動作が行なわれ防犯上好都合である。
▲２▼インターホンの受話器が外れた状態で放置されるような場合でも対応員を派遣する必要がなく、派遣を行なうことによるコストの増加や作業効率の低下を招くこともなく管理・運用上の負担を軽減できる。
▲３▼話中検出手段と残留者検出手段による二重の検出により、キャッシュコーナー内にいる残留者を精度よくいっそう確実に検出でき、残留者を検出した場合はシャッタ、自動ドア、出入口扉の電気錠等の閉鎖部材による閉鎖動作を停止あるいは閉鎖部材を開放するため、残留者の閉じ込め事故を回避できるとともに、インターホンによる通話を終えた利用者はキャッシュコーナーから円滑に退出できる。
【図面の簡単な説明】
【図  １】本発明に係るキャッシュコーナーの閉込め防止システムを適用したキャッシュコーナーの一例を示す概略図である。
【図  ２】本発明に係るキャッシュコーナーの閉込め防止システムの構成を示すブロック図である。
【図  ３】キャッシュコーナーの閉込め防止システムによる閉店制御時のフローチャートである。
【図  ４】キャッシュコーナーの閉込め防止システムを構成している話中検出手段の話中検出時のフローチャートである。
【図  ５】キャッシュコーナーの閉込め防止システムの他の実施例の構成を示すブロック図である。
【図  ６】話中検出手段と残留者検出手段により構成される残留者検出部のフローチャートである。
【符号の説明】
１      閉込め防止システム
１Ａ    閉込め防止システム
２      キャッシュコーナー
３      客室
４      機械室
５      ＣＤ・ＡＴＭ
６      自動ドア
１０      子器
２０      通話制御手段
３０      話中検出手段
４０      親器
５０      自動閉店制御手段
５０Ａ    自動閉店制御手段
６０      スケジュール記憶手段
７０      シャッタ制御手段
７１      シャッタ
８０      残留者検出手段
【図１】
0004066003.tif 000002
【図２】
0004066003.tif 000003
【図３】
0004066003.tif 000004
【図４】
0004066003.tif 000005
【図５】
0004066003.tif 000006
【図６】
0004066003.tif 000007